【事件の表示】
　平成１０年特許願第２７８１７８号「濃度ムラ補正システム」拒絶査定不服審判事件〔平成１２年　４月１１日出願公開、特開２０００−１０３０５３〕について、次のとおり審決する。
【結　論】
　本件審判の請求は、成り立たない。
【理　由】
１　手続の経緯
　本願は、平成１０年９月３０日の出願であって、平成２０年６月２３日付けで手続補正がなされ、同年８月２１日付けで拒絶査定がなされたため、これを不服として同年９月２５日付けで拒絶査定不服審判が請求されるとともに、同年１０月２７日付けで手続補正がなされ、当審において、平成２０年１０月２７日付け手続補正が平成２２年３月２４日付けの補正却下の決定により却下されるととももに同日付けで拒絶の理由が通知され、同年５月３１日付けで手続き補正がなされ、さらに、同年８月３１日付けで拒絶の理由（以下「当審拒絶理由」という。）が通知され、同年１１月５日付けで手続補正がなされたものである。
　
２　本願発明の認定
　本願請求項１に係る発明（以下「本願発明」という。）は、平成２２年１１月５日付け手続補正後の明細書及び図面の記載からみて、その特許請求の範囲の請求項１に記載されたとおりの次のものと認める。
「【請求項１】
　与えられた画像データに基づいて記録媒体に画像を形成するための複数の記録素子からなる記録ヘッドを備えた画像形成部と、
　記録媒体の種類、印刷解像度、印刷パス数、２値化方式、環境温度及び環境湿度を含む複数の属性情報と、前記記録ヘッドを用いて形成したテストチャートの濃度ムラデータとを対応付けることにより予め前記画像形成部の調整時にて作成された濃度ムラ特性データを記憶するための濃度ムラ特性データ記憶部と、
　属性情報を入力するための属性情報入力部と、
　前記属性情報入力部を介して入力された前記属性情報に対応する前記濃度ムラ特性データを前記濃度ムラ特性データ記憶部から選択的に読み出して前記画像データを補正する濃度ムラ補正部と、
　を具備することを特徴とする濃度ムラ補正システム。」
　
３　引用刊行物 
　当審拒絶理由で引用した「本願出願前に頒布された刊行物である特開平７−２６６５８２号公報（以下「引用例」という。）」には、図とともに次の事項が記載されている（下線は審決で付した。以下同じ。）。
（１）「【００１６】次に、上述の
画像形成装置
【００１７】図２は前述の
ヘッドシェーディング機能
プリント用ヘッド
用紙２３に
印字を行う
Ｃ（シアン），Ｍ（マゼンタ），Ｙ（イエロー），Ｘ（ブラック）の各色のインクで印字するための各々の１００ノズルを有している。
画像読み取りセンサー１
【００１８】図３は
シェーディング回路
ヘッド１２のノズル位置をカウントするためのカウンター２０２、メモリー（ＲＯＭ）２０４に格納された各種画像むら補正用のテーブルのうちどのテーブルを使用するかの情報を記憶するメモリー（ＲＡＭ）２０３、画像むらの検出データーを格納するメモリー（ＲＡＭ）２０７、及びこのメモリー２０７の上位アドレスを生成するカウンター２０８から構成されて
【００１９】図５はリーダーの１回の主走査で原稿２２の読み取られる範囲、図６はプリンターの１回の主走査で用紙２３に画像を形成できる範囲（プリント範囲）をそれぞれ示している。また、図７は変倍時の原稿２２の読み取り範囲と用紙２３へのプリント範囲を示す図であり、ここでは倍率１００％，２００％，５０％，７５％の場合について、読み取り可能範囲とプリント可能範囲を１００として示している。
【００２０】図８は
カラー複写装置
画像読み取りセンサー１
【００２１】また、図８中、８は板７とモーター９を結合させるベルト、９は各主走査部品を実装した板７を副走査方向に動かすためのステッピングモーター、１０はプリンターの主走査の基準位置を検出するフォトインタラプター、１１はプリンターの用紙２３の有無及び用紙２３の基準位置（先端位置）を検出するフォトインタラプター、１３はベルト１４に張力を加えるプーリーで、ベルト１４は
プリント用ヘッド１２
【００２２】また同図中、１６は用紙２３の先端を押さえ且つこの用紙２３を搬送するためのローラー、１７は用紙２３の後端を押さえ且つこの用紙２３を搬送するためのローラー、１８はローラー１６とステッピングモーター２０とを結合させるためのベルト、１９はローラー１７とモーター２０とを結合させるためのベルトで、モーター２０は用紙２３をプリンターの副走査方向に動かすためのものである。２１は以上の各構成部分を有した装置本体である。
【００２３】図９，図１０は用紙２３に画像を形成する手順を示したものである。用紙２３が矢印方向に順次移動し、各ライン［丸１］（審決注：丸付数字は、便宜上［丸　］中に数字を記入して表記した。以下同じ。）〜［丸３］に印字が行われる様子が示されている。
【００２４】図１１は
リーダーとプリンターの制御回路
２４
ＣＰＵ
【００２５】図１２は画像の拡大及び縮小の処理回路の構成を示すブロック図である。図中、２９は画像データーを画像メモリー（ＲＡＭ）３２にストアーする時のライトアドレスを発生するライトアドレス管理部、３０は画像データーを画像メモリー３２にロードする時のリードアドレスを発生するリードアドレス管理部、３１はリード／ライト管理部３３のリード／ライト選択状態により画像メモリー３２の上記アドレスのうち一方を選択するセレクター、３４はリード／ライト管理部３３がライト信号を出力している時に入力画像信号を画像メモリー３２のデーターバスに送り、リード／ライト管理部３３がリード信号を出力している時に画像メモリー３２のデーターバス上の信号が出力画像となるように画像信号の流れを選択するセレクターである。
【００２６】図１３は拡大及び縮小の一例を示したものであり、（ａ）は入力画像、（ｂ）は５０％縮小時の出力画像、（ｃ）は２００％拡大時の出力画像のデーターをそれぞれ示している。」
　
（２）「【００３０】図１７はリーダーとプリンターの画像識別の様子を示す図で、各々の主走査及び副走査と画像識別（有効）信号の関係を示している。図１８にその画像識別信号と画像データーと画像クロックの関係を示す。」
　
（３）「【００３５】…略…図２２はリーダーとプリンターの主走査及び副走査の制御動作の流れを示している。この図２２のフローチャートについては後で詳細に説明する。」
　
（４）「【００３９】図３０は
インクジェット方式のカラー複写装置
画像読み取りセンサー１で得られたアナログ画像信号を８ビットのデジタル画像信号に変換するＡ／Ｄ変換器、５１は図１２及び図１３の処理方式により画像の縮小及び拡大を行う変倍回路、５２は上記センサー１で読み取った各画像に対し、感度バラツキや原稿照明用ランプ（図示せず）の明るさのバラツキ等の影響を少なくするために画像信号を補正するシェーディング補正回路
【００４０】また図３０中、５３はセンサー１で得られる原稿の画像信号かあるいは画像メモリー１０１にあらかじめ記憶されている画像信号かのいずれか一方を選択する画像信号セレクターで、画像メモリ１０１は、画像信号を記憶したり、記憶されている画像信号を出力したりするとともに、画像クロックや画像識別信号をあらかじめ決められた情報に基づいて加工し、また出力することもある。
【００４１】また、同図３０中、
５４はＲ，Ｇ，Ｂの画像データーをＣ（シアン），Ｍ（マゼンタ），Ｙ（イエロー）の画像データーに変換する対数変換器、５５はセンサー１の色に対する出力特性とプリント用インクの色の特性を合わせるために画像信号を補正する色補正回路、５６は８ビットの多値データー（画像信号）を１ビットの２値データーに変換する２値化回路、５７は２値化回路５６で得られた１ビットの２値データーに基づいてプリント用ヘッド１２に電力を供給する印字ヘッドドライバー回路、
　
（５）「【００４２】次に、上述の構成における基本的な動作について説明する。
【００４３】まず、前述の画像識別（有効）信号と画像データー及び画像クロックの関係を図１７及び図１８を用いて説明する。
【００４４】なお、本実施例の説明中において、画像読み取りセンサー１の画素の並び方向及びプリント用ヘッド１２のノズルの並び方向を副走査と定義し、信号名ＶＥとする。副走査方向の画像有効範囲は、ＶＥのＨレベルが対応する。また、画像読み取りセンサー１が画像を読み取りながら移動する方向及びプリント用ヘッド１２が用紙にデーターを印字しながら移動する方向を主走査と定義し、信号名ＢＶＥとする。主走査方向の画像有効範囲は、ＶＥのＨレベルが対応する。
【００４５】ＢＶＥ信号はＶＥ信号の立上りで変化し、Ｈ（高）レベルの時間（画像有効範囲）は原稿，用紙幅，倍率等により変化する。ＶＥ信号は、１Ｔの立上りで変化し、Ｈレベルの時間（画像有効範囲）は画像読み取りセンサー１の画素数，プリント用ヘッド１２のノズル数より決まる。１Ｔ，２Ｔ，４Ｔ，８Ｔの画像クロックは、１Ｔの１／２周期が２Ｔ，、２Ｔの１／２周期が４Ｔ、４Ｔの１／２周期が８Ｔとなっている。
【００４６】また、画像信号ＶＤについては、１画素がＲ，Ｇ，Ｂ，Ｘの成分から構成されている。Ｒはレッド信号、Ｇはグリーン信号、Ｂはブルー信号、Ｘはブラック信号である。Ｘ信号は図３０の色補正回路５５で作り出され、画像信号の中にセットされる。また、４Ｔの１周期は、Ｒ，Ｇ，Ｂ，Ｘの成分と同じ時間になっている。さらに、１Ｔ，２ＴがＨレベルのときはＲ信号、１ＴがＨレベル，２ＴがＬレベルのときはＧ信号、１ＴがＬレベル，２ＴがＨレベルのときはＢ信号、１Ｔ，２ＴがＬレベルのときはＸ信号となっている。
【００４７】次に、上記構成において、画像読み取り範囲とプリント範囲が１回の主走査で最大１００画素の例をとり、図２２のフローチャートを基に動作の説明をする。
【００４８】（Ｆ−１）
コピーキー７０が押されてコピー動作が開始されると、
【００４９】（Ｆ−２）プリンターのプリント用ヘッド１２を、プリンターの副走査基準位置（副走査のフォトインタラプター１０をプリンターのヘッド１２が横切った点）まで移動させるように、ＣＰＵ２４からモータードライバー２５，２６に信号を加えて基準位置に移動させる。次に、コピー用紙２３を給紙し、用紙検知用のフォトインタラプター１１を用紙２３が横切るまで紙送り用のローラー１７を回転させる。そして、用紙検知用のフォトインタラプター１１で用紙を検知後、さらに用紙２３を一定量送り、図２に示すように用紙をセットし、Ｆ−３へ進む。この時紙送り用のローラー１６，１７は、ベルト１８，１９を介してプリンターの用紙送り（副走査）モーター２０が回転することにより、用紙２３を搬送する。またモーター２０は、ＣＰＵ２４からモータードライバー２８に信号を加えることにより、回転する。
【００５０】（Ｆ−３）コピー開始前にあらかじめ設定されていたコピー倍率が縮小コピーか拡大コピーなのかを判断し、縮小コピー時はＦ−１０に進み、等倍コピー，拡大コピー時はＦ−４へ進み、それぞれ処理を実施する。
【００５１】（Ｆ−４）以下の処理を、プリンターの副走査方向の書き込みの最大範囲（シアン，マゼンタ，イエロー，ブラックの各１００画素）を基準として動作するように、ＣＰＵ２４に記憶し、Ｐ−５へ進む。
【００５２】（Ｆ−５）プリンターの最大書き込み範囲画素数を倍率で割り、その結果を１００倍することにより、リーダーの読み取り範囲の画素数を得る。例えば図７の２００％については、１００／２００×１００＝５０となり、拡大２００％の時は、リーダーの読み込みに必要な範囲画素数５０が得られ、Ｆ−６へ進む。
【００５３】（Ｆ−６）
リーダー，プリンターをそれぞれ主走査方向に１スキャンさせ、原稿２２の情報をリーダーで読み、用紙２３に読み込んだ情報を書き、
【００５４】（Ｆ−７）Ｆ−６で実施された主走査方向のスキャンがコピーの最終主走査か否かを判断し、最終主走査スキャンの時はＦ−１６へ進み、コピーを終了する。最終主走査スキャンでない時は、Ｆ−８へ進む。
【００５５】（Ｆ−８）リーダーの読み取りセンサー１の位置を、Ｆ−５の計算で得られた画素数だけ副走査方向に移動させ、
次のリーダーの主走査で画素を読む位置に読み取りセンサー１を移動するため、ＣＰＵ２４からモータードライバー２６に信号を加え、リーダーの副走査駆動用のモーター９を必要数回転させ、
【００５６】（Ｆ−９）プリンターの用紙の位置を１００画素分副走査方向に移動させ、
次のプリンターの主走査で画像を書き込む位置に印字ヘッドを移動するため、ＣＰＵ２４からモータードライバー２８に信号を加え、プリンターの副走査駆動用のモーター２０を回転し、
【００５７】（Ｆ−１０）以下の処理をリーダーの副走査方向の読み取り最大範囲（レッド，グリーン，ブルーノ各１００画素）を基準として動作するように、ＣＰＵ２４に記憶して、Ｆ−１１に進む。
【００５８】（Ｆ−１１）リーダーの最大読み込み範囲画素数に倍率を乗じ、その結果を１００で割ることにより、プリンターの書き込み範囲の画素数を得る。例えば、図７の５０％については、１００／１００×５０＝５０となり、最小５０％の時はプリンターの書き込みが行われる範囲画素数５０が得られる。７０％については、１００／１００×７５＝７５となり、縮小７５％のときはプリンターの書き込みが行われる範囲数７５が得られ、Ｆ−１２へ進む。
【００５９】（Ｆ−１２）リーダー，プリンターをそれぞれ主走査方向に１スキャンさせ、原稿２２の情報をリーダーで読み、用紙２３にその読み込んだ情報を印字し、Ｆ−１３へ進む。
【００６０】（Ｆ−１３）Ｆ−１２で
実施された主走査方向のスキャンがコピーの
最終主走査スキャンの時は
コピーを終了する
【００６１】（Ｆ−１４）リーダーの読み取りセンサー１の位置を１００画素分副走査方向に移動させ、次のリーダーの主走査で画像を読む位置に読み取りセンサー１を移動させるため、ＣＰＵ２４からモータードライバー２６に信号を加え、リーダーの副走査駆動用のモーター９を必要数回転させ、Ｆ−１５へ進む。
【００６２】（Ｆ−１５）プリンターの用紙の位置を、Ｆ−１１の計算で得られた画素数だけ副走査方向に移動させ、次のプリンターの主走査で画素を書き込む位置に印字ヘッドを移動させるため、ＣＰＵ２４からモータードライバー２８に信号を加え、プリンターの副走査駆動用のモーター２０を必要数回転させる。その後Ｆ−１２に戻り、上記処理を必要なだけ繰り返す。
【００６３】ここで、上記リーダーの主走査方向１スキャンで画像が読み込める原稿の最大画素数の範囲は図５に示すとおりであり、またプリンターの主走査方向１スキャンで画像を印字できる最大画素数の範囲は図６に示すとおりである。
【００６４】縮小時には、入力画像を図１２の画像メモリー３２にライトする時に、例えば画素０のＲ０を画像メモリー３２の０番地へライト、Ｇ０を１番地、Ｂ０を２番地へライト、画素１はライトせず、画素２のＲ２を３番地へライト、Ｇ２を４番地にライト、Ｂ２を５番地にライトするように、画像メモリー３２に書き込んで行く。そして、出力画像を得る時に、画像メモリー３２の０番地から順に読み出して行くことにより、図１３に示す縮小（５０％）に対応する画像データーを得て、画像データーを倍率に合わせる処理を実施する。
【００６５】また拡大時には、入力画像を画像メモリー３２の０番地から順に書き込んで行く。そして、出力画像を得る時に、画像メモリー３２の０番地からＲ０をリード、１番地からＧ０をリード、２番地からＢ０をリード、次に０番地から２番地をリードしてＲ０，Ｇ０，Ｂ０の画像データーを得る。次に、画像メモリー３２のアドレスを３番地に移動し、Ｒ１をリードし、以下同じ処理を繰り返すことにより、図１３に示す拡大（２００％）に対応する画像データーを得て、画像データーを倍率に合わせる処理を実施する。
【００６６】上記変倍処理が実施された画像信号は、次に図３０のシェーディング補正回路５２，対数変換器５４，色補正回路５５，２値化回路５６，印字ヘッドドライバー５７，プリントヘッド１２を介して用紙２３に印字される。」
　
（６）「【０１０１】次に、本実施例の詳細動作を図３１〜図４０について説明する。図３１はヘッドシェーディングのむらを取るための印字例を示す図で、（ａ）に示す印字部分２０１のＡ部を拡大したものを（ｂ），（ｃ）に示す。
【０１０２】図３２は印字むら補正用の変換テーブル（０，１，２）を示す図、図３３は
ヘッドシェーディング補正モードの設定部（操作部）
ＣＰＵ２４の入力端子（Ｐ０〜Ｐ６）と接続された複数のスイッチＳ１〜Ｓ７を有するスイッチ入力部２０５，ユーザーにより選択されたモードを表示するモード表示部２０６、及び
図３２の変換テーブル）の選択情報を記憶する前述のメモリー２０３を備えている
【０１０３】図３４はインクの吸収結果を示したもので、（ａ）は紙２１３の上に形成されたインク保持層２１３、（ｂ）はフィルム２１４の上に形成されたインク保持層２１３をそれぞれ示している。図３５は印字されたパターンから各ノズルのむらのランクを分類する動作を示すフローチャート、図３６は印字する用紙の材質に応じたコピー動作を示すフローチャートで、これらの動作については後で詳細に説明する。
【０１０４】図３７は用紙の給紙方法を示す図であり、（ａ）は用紙２３をカセット２０９から給紙した場合、（ｂ）は用紙２３を不図示の手差し口から給紙した場合をそれぞれ示している。また図３７中、２１０は手差し給紙時にプリント用ヘッド１２を持ち上げるためのローラー部材、２１１はプリント用ヘッド１２を支えておくためのヘッドキャリッジ軸である。
【０１０５】図３８は用紙の給紙モードに応じたコピー動作を示すフローチャート、図３９はブルーバックモード時の背景の印字例を示したもので、（ａ）に示す印字に対して（ｂ），（ｃ）は濃度が薄い場合、濃い場合を示している。図４０はそのブルーバックモード時のコピー動作を示すフローチャートである。
【０１０６】まず、図２，図３１，図３２により前述の
ヘッドシェーディング
【０１０７】図２の（ａ）に示すように
用紙２３上に均一パターンのデーターを印字
ヘッド１２の３０番目のノズルだけがインクの吐出量（１ドット当り）が他のノズルよりも多く
【０１０８】図２の（ａ）に示す均一パターンのデーターを印字
した原稿２００を
画像読み取りセンサー１をスキャンさせて
読み取り、読み取ったデーターを
メモリー２０７に記憶させ
【０１０９】次に、上記
メモリー２０７に記憶された画像データーにより、ＣＰＵ２４にて各ノズルの位置に対応する部分の濃度を分類
【０１１０】（Ｇ−１）まず初めに処理ノズル番号に第１番目のノズルを設定してＧ−２に進む。
【０１１１】（Ｇ−２）処理ノズル番号に対応する読み取りデーターをメモリー２０７より入手し、Ｇ−３へ進む。
【０１１２】（Ｇ−３））読み取りデーターの濃度が標準値の範囲に入っているかを判別し、もし読み取りデーターの濃度が標準値の範囲に入っていればＧ−９へ進み、標準値の範囲に入っていない時はＧ−４へ進む。
【０１１３】（Ｇ−４）読み取りデーターの濃度が標準値よりも濃い範囲に入っているかを判断し、もし読み取りデーターの濃度が標準値よりも濃い場合にはＧ−８へ進み、標準値よりも濃い範囲に入っていない時はＧ−５へ進む。
【０１１４】（Ｇ−５）現在処理中の処理ノズル番号のノズル位置の濃度は標準値よりも濃いことを意味するランク（Ｃ）と設定し、Ｇ−６へ進む。
【０１１５】（Ｇ−６）全ノズル１００個分の処理が終了したかを判断し、１００個分終了した時はＧ−７へ進み、また１００個分終了していない場合はＧ−１０へ進む。
【０１１６】（Ｇ−７）処理を終了する。
【０１１７】（Ｇ−８）現在処理中の処理ノズル番号のノズル位置の濃度は標準値よりも濃いことを意味するランク（Ａ）と設定し、Ｇ−６へ進む。
【０１１８】（Ｇ−９）現在処理中の処理ノズル番号のノズル位置の濃度は標準値であることを意味するランク（Ｂ）と設定し、Ｇ−６へ進む。
【０１１９】このように、図３５に示すフローチャートを基にＣＰＵ２４内で各ノズル位置の印字濃度がランク分けされる。例えば図３１の（ａ）に示した印字データーは、ノズル３０はランク（Ａ）、ノズル１〜２９，３１〜１００はランク（Ｂ）に分類される。
【０１２０】次に、図３，図４，図３２の（ａ），（ｂ），（ｃ）により、むらの補正を行う方法について説明する。
【０１２１】図３の
カウンター２０２は、クロック１Ｔの立上り毎にカウントアップし
カウンター２０２のカウント出力は、各ノズルの番号と対応が取れている
このカウンター２０２の出力側はメモリー２０３のアドレスバスに接続されて
メモリー２０３に
得られた各ノズル位置の印字濃度のランク分類のデーター｛ランク（Ａ）は０，ランク（Ｂ）は１，ランク（Ｃ）は２｝をＣＰＵ２４によって前もって書いておく
該メモリー２０３の出力側（データーバス）に各ノズルに対するランクコードを出力する
【０１２２】一方、
メモリー２０４のアドレスＡ７〜Ａ０にはＶＤ（画像データー）が入り
アドレスＡ８〜Ａ９に
上記メモリー２０３の出力側（データーバス）の信号が入力され
メモリー２０４の内部に
アドレスＡ０〜Ａ７に入っている画像データを補正する
【０１２３】また、メモリー２０４のＡ８＝０，Ａ９＝１｛ランク（Ｃ），濃度は標準値よりも薄い｝に対応するエリアに図３２の（ｃ）のテーブル２を書いておけば、メモリー２０４に入るＶＤは全体的に値が大きくなる。そして、このメモリー２０４から出力されるＶＤに図３１の（ａ）に示すむらがある場合は、図３に示す
むら補正回路
ノズル３０に対応する画像データーの値を小さくする（薄くする）ことができ、これにより図３０の２値化回路５６でインクを吐出する量が少なくなり｛図３１の（ｃ）｝、人間の目で見た場合にノズル３０に対応する濃度が薄くなり、他のノズルに対応する濃度と同じレベルになるため、むらの補正ができる
　
（７）「【０１２４】上述のむら補正はインクジェット方式の装置にて実施されているが、このインクジェット方式では均一パターンのデーターを印字する場合、
コート紙（紙の表面にインク保持層を塗ったもの）２１２を用い
各種の用紙を使えるようにした場合、コート紙に印字した時のむらを基準にむら補正を実施すると、コート紙以外の用紙においてはむらの状態が少し異なることにな
【０１２５】すなわち、図３４の（ａ）はコート紙２１２にインクが打たれた場合のコート紙２１２の断面を示したものであり、インクはインク保持層２１３及びその内側の紙２１２に吸収される。しかし、ＯＨＰフィルム（薄いフィルムの上にインク保持層を付ける）の場合は、インクはフィルムの内部に入ることかできず、インク保持層だけで吸収される。つまり、図３４の（ａ），（ｂ）に示すように、インクの吸収される部分の違いにより
むらの状態が少し異なる
　
（８）「【０１２６】そこで、本実施例では図３３の回路を設けてむら補正を行っており、次にその動作を図３６のフローチャートを基に説明する。
【０１２７】（Ｈ−１）図３３のＣＰＵ２４の入力端子Ｐ０，Ｐ１のレベルがＨ／Ｌ（
スイッチＳ１，Ｓ２が押されているかを判断
【０１２８】（Ｈ−２）ＣＰＵ２４の入力端子Ｐ０，Ｐ１のレベルよりどの種類の用紙が実際に用いられているかを
判定
【０１２９】（Ｈ−３）
コピーキー７０が押され
コピー開始にな
【０１３０】（Ｈ−４）
紙の種類に対応したむら補正値をメモリー２０３に設定し
例えば、コート紙用のむら補正値からＯＨＰ用のむら補正値を作る方法や、前もってコート紙，ＯＨＰ用紙に特定のパターンを印字し、印字した結果を読み取り、各用紙に合ったむら補正値を入手しておく
【０１３１】（Ｈ−５）図２２に示すフローチャートに基づいてコピー動作を実施し、Ｈ−６へ進み、処理を終了する。
【０１３２】以上、図３６のフローチャートを基に印字用紙の種類（スイッチにより設定）によってむらの補正値を選択する方法を述べたが、印字用紙の種類を判定する方法は特に限定はなく、例えば印字用紙の光の反射率等の調べ、自動的に判定することも可能である。
【０１３３】次に、他のむら補正の動作を図３７，図３８について説明する。
【０１３４】図３７の（ａ）は用紙を入れてあるカセット２０９から用紙２３を給紙し、画像を形成する場合のヘッド先端（印字面）と用紙２３の関係を示したものである。カセット２０９には用紙２３の厚さが一定の紙を入れられるようになっている。
【０１３５】前述のむら補正は、この図３７の（ａ）の使用状態に基づいているが、特殊な用紙に印字する場合（例えば用紙２３の厚さが厚かったり、プラスチック板のように曲がらないものにも印字する場合）は、カセット２０９を使用することができない。そこで図３７の（ｂ）に示すように、用紙の先端側（ローラー１６側）より用紙２３を１枚搬送して印字を実施する手差しコピーという方法を用いる。ただし、本実施例で用いる手差しコピーは、厚紙も対応させるため、手差し時にヘッド１２を持ち上げるためのローラー部材２１０を用いて、ヘッドキャリッジ軸２１１を中心としてヘッド印字面と用紙２３の間のスペースを広くとれるように構成している。
【０１３６】しかし、ヘッド印字面と用紙２３までの間隔がカセット２０９を用いる場合と異なるため、実際にはカセット２０９から紙を給紙してコピーする場合と手差し口から紙を給紙する場合とでむらの状態が異なっている。そこで、本実施例では給紙モードに応じたコピー動作を行っており、次にこの動作を図３８のフローチャートに基づいて説明する。
【０１３７】（Ｉ−１）図３３のＣＰＵ２４の入力端子Ｐ２，Ｐ３のレベルがＨ／Ｌの状態になっているかを入力し、Ｉ−２へ進む。
【０１３８】（Ｉ−２）上記ＣＰＵ２４の入力端子のレベルより、用紙２３をカセット２０９から給紙する動作かあるいは手差し口から給紙する動作かを判定する。例えば、
スイッチＳ３が押されていればカセット２０９から給紙する動作、スイッチＳ４が押されていれば手差し口から給紙する動作
【０１３９】（Ｉ−３）コピーキー７０が押されてコピー開始になっているかを判断する。コピー開始の場合はＩ−４へ、コピー開始でない場合はＩ−１へ進む。
【０１４０】（Ｉ−４）
用紙２３をカセット２０９から給紙する動作か手差し口から給紙する動作かによるむら補正値を
また、むら補正値に用紙の種類を考慮することは言うまでもない
【０１４１】（Ｉ−５）図２２に示すフローチャートに基づいてコピー動作を実施し、Ｉ−６へ進み、処理を終了する。
【０１４２】次に、他のむら補正の動作を図３９，図４０について説明する。
【０１４３】図３９の（ａ）はブルーバックモード時の印字結果を示したものである。ブルーバックとは、ＯＨＰにおいて文字を黒にして投影するよりは文字を白（無着色）にし、文字以外の背景をブルーに色付けすることにより、投影された文字を見やすくするための手法であり、一般的に広く用いられている。
【０１４４】ここで、ＯＨＰに用いる用紙（ＯＨＰ用紙）は、表面のインク保持層にインクがたまり、ベースになっているフィルムにはあまりインクが吸収されないようになっている。このため図３９の（ｂ）に示すように、印字する濃度が薄い場合はインクつぶれがバラバラに配置される。しかし印字される濃度が濃い場合は、インクつぶれが密集して配置されるため、インクを印字してからインクが乾くまでの間にインク間に表面張力が発生し、ヘッドの中心位置ではあまり影響がないがヘッド端部においてはインクがヘッドの中心方向に引かれ、ヘッド端部において濃度むらが発生する場合がある。
【０１４５】そこで本実施例では、ＯＨＰ用紙に印字するにあたり、ブルーバックモードが設定されている場合はブルーバックの濃度に応じてむらを補正するようにしており、次にこの動作を図４０のフローチャートについて説明する。
【０１４６】（Ｊ−１）図３３のＣＰＵ２４の入力端子Ｐ４，Ｐ５，Ｐ６のレベルがＨ／Ｌの状態になっているかを入力し、Ｊ−２へ進む。
【０１４７】（Ｊ−２）上記ＣＰＵ２４の入力端子のレベルにより、ＯＨＰのブルーバックモードになっているかを判定し、ブルーバックモード時には背景のブルーの濃さの設定情報を入手する。この時、
例えばスイッチＳ５が押されていればＯＨＰのブルーバックモードが設定されたと判定する。また、スイッチＳ６，Ｓ７の押されている組合せによりブルーバックモード時の背景のブルーの濃さを決定する。例えば、スイッチＳ６が押されていればブルーの濃さを薄く、スイッチＳ７が押されていればブルーの濃さを標準、またスイッチＳ６とＳ７が押されていればブルーの濃さを濃くするように設定されていると判定
【０１４８】（Ｊ−３）コピーキー７０が押されて、コピー開始になっているかを判断する。コピー開始の場合はＪ−４へ、コピー開始でない場合はＪ−１に進む。
【０１４９】（Ｊ−４）
ＯＨＰのブルーバックの背景の濃度設定値に応じたむら補正値
【０１５０】このむら補正値の作り方は、コート紙をカセットから給紙した場合のむら補正値から作る方法や、前もってＯＨＰ用紙に特定の濃度のパターンを印字し、印字した結果を読み取ってむら補正値を入手しておく方法がある。また本実施例では、ＯＨＰの背景をブルーにした場合について述べてあるが、他の色でも同様にむら補正が実行できることは言うまでもない。
【０１５１】（Ｊ−５）図２２に示すフローチャートに基づいてコピー動作を実施し、Ｊ−６へ進み、処理を終了する。
【０１５２】以上のように、記録モード（例えば用紙の種類や厚さのマテリアルの条件，カセットか手差しかによる条件，背景に色を付ける場合の色を付ける濃度条件）により、画像むらの補正をするデーターを選択することが可能になることにより、印字出力画像のむら補正の適用範囲が広がり、印字出力の画質を向上させることができる。」
　
（９）「【０１６２】
【発明の効果】以上説明したように、本発明によれば、
用紙の種類や厚さのマテリアルの条件，給紙がカセットによるか手差しによるかの条件，背景に色を付ける場合にその色を付ける濃度の条件等による各記録モードに応じて画像の印字むらの補正データーを選択することができ、印字出力画像のむら補正の適用範囲が広がり、印字出力画像を向上させることができる
　
（１０）段落【００４１】の「図３０中、５４はＲ，Ｇ，Ｂの画像データーをＣ（シアン），Ｍ（マゼンタ），Ｙ（イエロー）の画像データーに変換する対数変換器」との記載に照らせば、図３０の対数変換器５４に入力されているデーターは、Ｒ，Ｇ，Ｂの画像データーであることが見て取れる。
　してみると、図３０の記載から、シェーディング補正回路５２から画像信号セレクター５３を経由して対数変換器５４にＲ，Ｇ，Ｂの画像データーが出力されていることが見て取れる。
　
（１１）上記（１）ないし（１０）の記載からみて、引用例には、次の発明が記載されていると認めることができる。
「用紙２３にＣ（シアン），Ｍ（マゼンタ），Ｙ（イエロー），Ｘ（ブラック）の各色のインクで印字するための各々の１００ノズルを有しているプリント用ヘッドを有するプリンターと、
　画像読み取りセンサー１を有するリーダーと、
　前記画像読み取りセンサー１で得られたアナログ画像信号を８ビットのデジタル画像信号に変換するＡ／Ｄ変換器と、
　画像の縮小及び拡大を行う変倍回路と、
　前記画像読み取りセンサー１で読み取った各画像に対し、感度バラツキや原稿照明用ランプの明るさのバラツキ等の影響を少なくするために画像信号を補正しＲ，Ｇ，Ｂの画像データーを出力するシェーディング補正回路と、
　Ｒ，Ｇ，Ｂの画像データーをＣ（シアン），Ｍ（マゼンタ），Ｙ（イエロー）の画像データーに変換する対数変換器と、
　前記画像読み取りセンサー１の色に対する出力特性とプリント用インクの色の特性を合わせるために画像信号を補正する色補正回路と、
　８ビットの多値データー（画像信号）を１ビットの２値データーに変換する２値化回路と、
　前記２値化回路で得られた１ビットの２値データーに基づいて前記プリント用ヘッドに電力を供給する印字ヘッドドライバー回路と、
　むら補正回路であるシェーディング回路と、
　複写装置用ＣＰＵ２４を有する制御回路とを備え、
　前記シェーディング回路はプリント用ヘッドのノズル位置をカウントするためのカウンター２０２、メモリー（ＲＯＭ）２０４に格納された各種画像むら補正用のテーブルのうちどのテーブルを使用するかの情報を記憶するメモリー（ＲＡＭ）２０３、画像むらの検出データーを格納するメモリー（ＲＡＭ）２０７、及びこのメモリー２０７の上位アドレスを生成するカウンター２０８から構成されており、
　コピーキーが押されてコピー動作が開始され、前記リーダー及びプリンターをそれぞれ主走査方向に１スキャンさせ、原稿２２の情報を前記リーダーで読み、読み込んだ情報を前記プリンターで用紙２３に書き、次のリーダーの主走査で画素を読む位置に前記読み取りセンサー１を移動するため、前記ＣＰＵ２４からモータードライバーに信号を加え、前記リーダーの副走査駆動用のモーターを必要数回転させ、次のプリンターの主走査で画像を書き込む位置に前記プリント用ヘッドを移動するため、前記ＣＰＵ２４からモータードライバーに信号を加え、前記プリンターの副走査駆動用のモーターを回転し、実施された主走査方向のスキャンがコピーの最終主走査スキャンの時はコピーを終了するインクジェット方式のカラー複写装置であって、
　コート紙（紙の表面にインク保持層を塗ったもの）２１２を用いた用紙２３上に均一パターンのデーターを印字した原稿２００を前記画像読み取りセンサー１をスキャンさせて読み取り、読み取ったデーターを前記メモリー２０７に記憶させ、該メモリー２０７に記憶された画像データーにより、前記ＣＰＵ２４にて各ノズルの位置に対応する部分の濃度を分類し、得られた各ノズル位置の印字濃度のランク分類のデーターであるランクコードを前記ＣＰＵ２４によって前記メモリー２０３に前もって書いておくと、
　前記カウンター２０２がカウントアップすると、前記むら補正回路であるシェーディング回路は、該カウンター２０２の出力側がアドレスバスに接続されている前記メモリー２０３の出力側であるデーターバスに、そのカウント出力と対応が取れているノズルに対するランクコードを出力し、該ランクコードが出力信号として前記メモリー２０４のアドレスＡ８〜Ａ９に入力され、前記メモリー２０４のアドレスＡ７〜Ａ０には画像データーＶＤが入り、該メモリー（ＲＯＭ）２０４に格納されている前記各種画像むら補正用のテーブルのうち前記ランクコードに対応するテーブルでアドレスＡ０〜Ａ７に入っている画像データーを補正するので、前記プリント用ヘッド１２の１ドット当りのインクの吐出量が他のノズルよりも多くなっているノズル３０に対応する画像データーの値を小さく、つまり薄くすることができ、これにより前記２値化回路５６でインクを吐出する量が少なくなり、人間の目で見た場合にそのノズル３０に対応する濃度が薄くなり、他のノズルに対応する濃度と同じレベルになるため、むらの補正ができるインクジェット方式のカラー複写装置において、
　各種の用紙を使えるようにした場合、コート紙に印字した時のむらを基準にむら補正を実施すると、コート紙以外の用紙においてはむらの状態が少し異なるので、
　前記ランクコード、すなわち各種画像むら補正用のテーブルである変換テーブルの選択情報を前もって書いておいた前記メモリー２０３に加え、前記ＣＰＵ２４の入力端子Ｐ０ないしＰ６と接続された複数のスイッチＳ１ないしＳ７を有するスイッチ入力部２０５及びユーザーにより選択された記録モードを表示するモード表示部２０６を備えて、ヘッドシェーディング補正モードの設定部である操作部を構成し、
　例えば、コート紙用のむら補正値である前記ランクコードからＯＨＰ用のむら補正値を作る方法や、コート紙のみでなく、前もってＯＨＰ用紙にも均一パターンのデーターを印字し、印字した結果を読み取り、ＯＨＰ用紙に合ったむら補正値も入手しておくなどして、各ノズル位置の印字濃度の紙の種類に対応したむら補正値を前記メモリー２０３に前もって書いておき、同様にして前もって入手した用紙の種類や厚さのマテリアルの条件、給紙がカセットによるか手差しによるかの条件、背景に色を付ける場合にその色を付ける濃度の条件等による各記録モードに応じたむら補正値を前記メモリー２０３に前もって書いておき、
　前記スイッチＳ１ないしＳ７のそれぞれが押されているかを判断し、該判断結果により、用紙の種類や厚さのマテリアルの条件、給紙がカセットによるか手差しによるかの条件、背景に色を付ける場合にその色を付ける濃度の条件等による各記録モードを判定し、コピーキー７０が押されコピー開始になると、判定した各記録モードに対応したむら補正値をメモリー２０３に設定することにより、各記録モードに応じて画像の印字むらの補正データーを選択することができ、印字出力画像のむら補正の適用範囲が広がり、印字出力画像を向上させることができるヘッドシェーディング機能を有するインクジェット方式のカラー複写装置。」（以下「引用発明」という。）
　
４　対比
  本願発明と引用発明とを対比する。
（１）引用発明の「用紙２３」、「各々の１００ノズル」、「プリント用ヘッド」、「プリンター」、「Ｃ（シアン），Ｍ（マゼンタ），Ｙ（イエロー），Ｘ（ブラック）の各色のインクで印字する」、「画像データー」、「Ｒ，Ｇ，Ｂの画像データー」、「メモリー２０３」、「用紙２３上に均一パターンのデーターを印字した原稿」、「各ノズル位置の印字濃度のランク分類のデーターであるランクコード」、「むら補正値」、「『画像データーを補正する』『むら補正回路であるシェーディング回路』」、「ヘッドシェーディング補正モードの設定部である操作部」、「用紙の種類」、「記録モード」及び「ヘッドシェーディング機能を有するインクジェット方式のカラー複写装置」は、それぞれ、本願発明の「記録媒体」、「複数の記録素子」、「記録ヘッド」、「画像形成部」、「画像を形成する」、「画像データ」、「与えられた画像データ」、「記憶部」、「記録ヘッドを用いて形成したテストチャート」、「濃度ムラデータ」、「濃度ムラ特性データ」、「画像データを補正する濃度ムラ補正部」、「入力部」、「記録媒体の種類」、「属性情報」及び「濃度ムラ補正システム」に相当する。
　
（２）ア　本願明細書の発明の詳細な説明には「属性情報の具体的な例としては、印刷解像度（３６０ｄｐｉ、６００ｄｐｉなど）、印刷モード（１パス、２パスなど）、プリントメディア（コート紙、フィルムなど）、２値化方式（誤差拡散法やディザ法など）に関する情報の他に、印刷時の気温、湿度情報や、印刷オフセット情報などがある。」との記載がある（【００１１】参照）。
　
　イ　上記アの記載からみて、本願発明の「属性情報」とは、「３６０ｄｐｉ、６００ｄｐｉなどの印刷解像度に関する情報」、「１パス、２パスなどの印刷モードに関する情報」、「コート紙、フィルムなどのプリントメディアに関する情報」、「誤差拡散法やディザ法などの２値化方式に関する情報」、「印刷時の気温情報」、「印刷時の湿度情報」、「印刷オフセット情報」などの情報を示す総称であり、これらの情報を含む概念を示す用語であるものと解される。
　
　ウ　そうすると、本願の特許請求の範囲の請求項１の「記録媒体の種類、印刷解像度、印刷パス数、２値化方式、環境温度及び環境湿度を含む複数の属性情報」との記載は、「属性情報」は、「記録媒体の種類」、「印刷解像度」、「印刷パス数」、「２値化方式」、「環境温度」及び「環境湿度」などの情報を示す総称であり、かつ、これらの情報を含む概念を示す用語であって、本願発明において「属性情報」は「複数」であることを特定しているものと解される。
　
　エ　引用発明の「用紙の種類や厚さのマテリアルの条件」、「給紙がカセットによるか手差しによるかの条件」及び「背景に色を付ける場合にその色を付ける濃度の条件」は、上記ウからみて、いずれも「記録媒体の種類、印刷解像度、印刷パス数、２値化方式、環境温度及び環境湿度などの情報を示す総称であり、かつ、これらの情報を含む概念を示す用語である属性情報」であるといえるから、いずれも、本願発明の「記録媒体の種類、印刷解像度、印刷パス数、２値化方式、環境温度及び環境湿度を含む属性情報」に相当する。
　そうすると、引用発明の「属性情報」は、「用紙の種類や厚さのマテリアルの条件、給紙がカセットによるか手差しによるかの条件、背景に色を付ける場合にその色を付ける濃度の条件等による各記録モード」であるから、本願発明の「属性情報」と、「記録媒体の種類、印刷解像度、印刷パス数、２値化方式、環境温度及び環境湿度」を含む点及び「複数」である点で一致する。
　
（３）ア　引用発明の「プリンター」は、「記録媒体（用紙２３）」に「画像を形成する（Ｃ（シアン），Ｍ（マゼンタ），Ｙ（イエロー），Ｘ（ブラック）の各色のインクで印字する）」ための「複数の記録素子（各々の１００ノズル）」を有している「記録ヘッド（プリント用ヘッド）」を備えているものである。
　
  イ　引用発明の「与えられた画像データ（Ｒ，Ｇ，Ｂの画像データー）」は、シェーディング補正回路から出力され、対数変換器によってＣ（シアン），Ｍ（マゼンタ），Ｙ（イエロー）の画像データーに変換され、色補正回路によって画像読み取りセンサー１の色に対する出力特性とプリント用インクの色の特性を合わせるために補正され、２値化回路によって８ビットの多値データーを１ビットの２値データーに変換され、印字ヘッドドライバー回路によって前記２値化回路で得られた１ビットの２値データーに基づいた電力として「記録ヘッド（プリント用ヘッド）」に供給され、「記録ヘッド」を介して「記録媒体（用紙２３）」に印字されるものである。
　
　ウ　上記ア及びイからすると、引用発明の「画像形成部（プリンター）」と本願発明の「画像形成部」とは、「与えられた画像データに基づいて記録媒体に画像を形成するための複数の記録素子からなる記録ヘッドを備えた」ものである点で一致する。
　
（４）引用発明の「濃度ムラ補正システム（ヘッドシェーディング機能を有するインクジェット方式のカラー複写装置）」は、「入力部（ヘッドシェーディング補正モードの設定部である操作部）」のスイッチＳ１ないしＳ７のそれぞれが押されているかを判断し、該判断結果により、「用紙の種類や厚さのマテリアルの条件」、「給紙がカセットによるか手差しによるかの条件」、「背景に色を付ける場合にその色を付ける濃度の条件」等による各「属性情報（記録モード）」を判定しているから、引用発明の「入力部」と本願発明の「入力部」とは、「属性情報を入力するための属性情報入力部」である点で一致する。
　
（５）引用発明の「濃度ムラ特性データ（むら補正値）」は、用紙の種類や厚さのマテリアルの条件、給紙がカセットによるか手差しによるかの条件、背景に色を付ける場合にその色を付ける濃度の条件等による各「属性情報（記録モード）」に応じて「記憶部（メモリー２０３）」に前もって書かれているから、引用発明の「記憶部（メモリー２０３）」と本願発明の「記憶部」とは、「濃度ムラ特性データを記憶するための濃度ムラ特性データ記憶部」である点で一致する。
　
（６）引用発明の「濃度ムラ補正システム（ヘッドシェーディング機能を有するインクジェット方式のカラー複写装置）」は、「属性情報入力部（ヘッドシェーディング補正モードの設定部である操作部）」のスイッチＳ１ないしＳ７のそれぞれが押されているかを判断し、該判断結果により、用紙の種類や厚さのマテリアルの条件、給紙がカセットによるか手差しによるかの条件、背景に色を付ける場合にその色を付ける濃度の条件等による各「属性情報（記録モード）」を判定し、コピーキー７０が押されコピー開始になると、判定した各「属性情報」に対応した「濃度ムラ特性データ（むら補正値）」を「濃度ムラ特性データ記憶部（メモリー２０３）」に設定し、「濃度ムラ補正部（むら補正回路であるシェーディング回路）」によって、前記判定した各「属性情報」に応じた「濃度ムラデータ（各ノズル位置の印字濃度のランク分類のデーターであるランクコード）」に対応するテーブルで画像データーを補正するものであるから、引用発明の「濃度ムラ補正部（むら補正回路であるシェーディング回路）」と本願発明の「濃度ムラ補正部」とは、「前記属性情報入力部を介して入力された前記属性情報に対応する前記濃度ムラ特性データを前記濃度ムラ特性データ記憶部から選択的に読み出して、前記画像データを補正する」点で一致する。
　
（７）ア　引用発明の「濃度ムラデータ（ランクコード）」は「属性情報に応じた」ものである（上記（５）参照。）。
　
　イ　引用発明において、コート紙（紙の表面にインク保持層を塗ったもの）用の「濃度ムラ特性データ（むら補正値）」は、コート紙２１２を用いた用紙２３上に均一パターンのデーターを印字した原稿２００を画像読み取りセンサー１をスキャンさせて読み取り、読み取ったデーターをメモリー２０７に記憶させ、該メモリー２０７に記憶された画像データーにより、ＣＰＵ２４にて各ノズルの位置に対応する部分の濃度を分類し、各ノズル位置の印字濃度のランク分類のデーターである「濃度ムラデータ（ランクコード）」を得て、前記ＣＰＵ２４によって「濃度ムラ特性データ記憶部（メモリー２０３）」に前もって書いておくものである。
　
　ウ　引用発明において、ＯＨＰ用の「濃度ムラ特性データ」は、ＯＨＰ用紙にも均一パターンのデーターを印字し、印字した結果を読み取り、前もって入手しておくものである。
　
　エ　引用発明において、用紙の種類や厚さに応じた「濃度ムラデータ」などのマテリアルの条件に応じた「濃度ムラ特性データ」、給紙がカセットによるか手差しによるかの条件に応じた「濃度ムラ特性データ」、背景に色を付ける場合にその色を付ける濃度の条件に応じた「濃度ムラ特性データ」等による各「属性情報（記録モード）」に応じた「濃度ムラ特性データ」は、コート紙用の「濃度ムラ特性データ」やＯＨＰ用の「濃度ムラ特性データ」を作る方法と同様にして作成するものである。
　
　オ　上記アないしエからすると、引用発明において、各「属性情報（記録モード）」に応じた「濃度ムラ特性データ」は、各「属性情報（記録モード）」で均一パターンのデーターを印字した原稿２００を画像読み取りセンサー１をスキャンさせて読み取り、読み取ったデーターをメモリー２０７に記憶させ、該メモリー２０７に記憶された画像データーにより、ＣＰＵ２４にて各ノズルの位置に対応する部分の濃度を分類し、ノズル位置の印字濃度のランク分類のデーターである「濃度ムラデータ（ランクコード）」を得ることにより作成できることは明らかである。
　そうすると、引用発明の「濃度ムラ特性データ」は、複数の「属性情報」と、「記録ヘッドを用いて形成したテストチャート」の「濃度ムラデータ」とを対応付けることにより予め作成されたものであるといえる。
　したがって、引用発明の「濃度ムラ特性データ」と本願発明の「記録媒体の種類、印刷解像度、印刷パス数、２値化方式、環境温度及び環境湿度を含む複数の属性情報と、前記記録ヘッドを用いて形成したテストチャートの濃度ムラデータとを対応付けることにより予め前記画像形成部の調整時にて作成された濃度ムラ特性データ」とは「記録媒体の種類、印刷解像度、印刷パス数、２値化方式、環境温度及び環境湿度を含む複数の属性情報と、前記記録ヘッドを用いて形成したテストチャートの濃度ムラデータとを対応付けることにより予め作成された」点で一致する。
　
（８）上記（１）ないし（７）から、本願発明と引用発明とは、
「与えられた画像データに基づいて記録媒体に画像を形成するための複数の記録素子からなる記録ヘッドを備えた画像形成部と、
　記録媒体の種類、印刷解像度、印刷パス数、２値化方式、環境温度及び環境湿度を含む複数の属性情報と、前記記録ヘッドを用いて形成したテストチャートの濃度ムラデータとを対応付けることにより予め作成された濃度ムラ特性データを記憶するための濃度ムラ特性データ記憶部と、
　属性情報を入力するための属性情報入力部と、
　前記属性情報入力部を介して入力された前記属性情報に対応する前記濃度ムラ特性データを前記濃度ムラ特性データ記憶部から選択的に読み出して前記画像データを補正する濃度ムラ補正部と、
　を具備する濃度ムラ補正システム。」
である点（以下「一致点」という。）で一致し、
「前記濃度ムラ特性データが、本願発明では、前記画像形成部の調整時にて作成されたものであるのに対し、引用発明では、前もって入手されているもののその作成時点が明らかでない点。」（以下「相違点１」という。）で相違する。
　
（９）本願の特許請求の範囲の請求項１の「記録媒体の種類、印刷解像度、印刷パス数、２値化方式、環境温度及び環境湿度を含む複数の属性情報」との記載は、上記（２）の解釈ではなく、本願発明の「複数の属性情報」は、「記録媒体の種類」である属性情報、「印刷解像度」である属性情報、「印刷パス数」である属性情報、「２値化方式」である属性情報、「環境温度」である属性情報及び「環境湿度」である属性情報を含む６以上の属性情報であることを特定しているものと解することもできる。
　
（１０）上記（９）のように解すと、本願発明と引用発明とは、
「与えられた画像データに基づいて記録媒体に画像を形成するための複数の記録素子からなる記録ヘッドを備えた画像形成部と、
　記録媒体の種類を含む複数の属性情報と、前記記録ヘッドを用いて形成したテストチャートの濃度ムラデータとを対応付けることにより予め作成された濃度ムラ特性データを記憶するための濃度ムラ特性データ記憶部と、
　属性情報を入力するための属性情報入力部と、
　前記属性情報入力部を介して入力された前記属性情報に対応する前記濃度ムラ特性データを前記濃度ムラ特性データ記憶部から選択的に読み出して前記画像データを補正する濃度ムラ補正部と、
　を具備する濃度ムラ補正システム。」
である点で一致し、上記相違点１及び、
「前記記録媒体の種類を含む複数の属性情報が、本願発明では、印刷解像度、印刷パス数、２値化方式、環境温度及び環境湿度も含むのに対して、引用発明では、印刷解像度、印刷パス数、２値化方式、環境温度及び環境湿度のいずれも含んでいない点。」（以下「相違点２」という。）で相違する。
　
５　判断
　上記相違点１及び２について検討する。
（１）相違点１について
　ア　記録ヘッドに設けられた各ノズルに対応する濃度ムラ補正用データが、工場でメモリーに書き込まれることは、本願出願前に周知である（例．当審拒絶理由で引用した特開平２−２１２１６５号公報（第９頁左上欄第５行〜第１０行参照。）及び当審拒絶理由で引用した特開平２−２１２１６６号公報（第９頁右上欄第５行〜第１０行参照。）、以下「周知技術１」という。）ところ、工場でメモリーに書き込む濃度ムラ補正用データは、工場で作成すれば、その書き込みに間に合うことが明らかである。
　
　イ　引用発明において、「記録媒体の種類を含む複数の属性情報と、前記記録ヘッドを用いて形成したテストチャートの濃度ムラデータとを対応付ける」ことにより作成され、前記「濃度ムラ特性データ記憶部」に記憶する「濃度ムラ特性データ」は、「予め」作成されるものであるから、工場において引用発明の「濃度ムラ補正システム」を製造した後かつその出荷前に、その「濃度ムラ補正システム」の「画像形成部」が備えている「記録ヘッド」を用いて「テストチャート」を形成し、その「濃度ムラ補正システム」の工場出荷時の調整を、その「画像形成部」を含めて行うとともに、前記「濃度ムラ特性データ」を作成して、この作成した「濃度ムラ特性データ」を工場にて前記「濃度ムラ特性データ記憶部」に記憶するようになすことは、当業者が周知技術１に基づいて容易に想到することができた程度のことである。
　
　ウ　そうすると、上記イの「その濃度ムラ補正システムの工場出荷時の調整を、その画像形成部を含めて行うとともに、前記濃度ムラ特性データを作成」することは、本願発明の「濃度ムラ特性データを予め前記画像形成部の調整時にて作成」することに相当するから、引用発明において、上記相違点１に係る本願発明の構成となすことは、当業者が周知技術１に基づいて容易になし得た程度のことである。
　
（２）相違点２について
　ア　印刷解像度、印刷パス数、２値化方式、環境温度及び環境湿度は、いずれも濃度ムラと関係する属性であることが、本願出願前に周知である（例．解像度と濃度ムラの関係（当審拒絶理由で引用した特開平１０−１３８４６３号公報（【００７２】及び【００７３】参照。）及び当審拒絶理由で引用した特開平１０−１００４０９号公報（【００１１】及び【００１２】参照。））、印刷パス数と濃度ムラの関係（当審拒絶理由で引用した特開平７−６０９６９号公報（【０００９】参照。）及び当審拒絶理由で引用した特開平９−１５６１０２号公報（【００１０】参照。））、２値化処理と濃度ムラの関係（当審拒絶理由で引用した特開平４−３６１０５５号公報（【０００３】及び【０００４】参照。）、当審拒絶理由で引用した特開平５−３１８７６８号公報（【０００９】参照。）及び当審拒絶理由で引用した特開平３−１５０１７７号公報（第２頁左上欄第２０行〜右上欄第９行参照。））、環境温度と濃度ムラの関係（当審拒絶理由で引用した特開平９−１２３４５６号公報（【０００５】参照。）、当審拒絶理由で引用した特開平７−２５０３５号公報（【０００２】参照。）及び当審拒絶理由で引用した特開平７−４７６９７号公報（【０００６】参照。））、使用環境と濃度ムラの関係（上記特開平２−２１２１６５号公報（第２頁右上欄第１５行〜左下欄第１行、第９頁左上欄第５行〜第１０行及び第１１頁左下欄第５行〜第１１行参照。）及び上記特開平２−２１２１６６号公報（第２頁左下欄第１５行〜右下欄第１行及び第９頁右上欄第５行〜第１０行参照。））、以下「周知技術２」という。）。
　
　イ　引用発明において、「用紙の種類」等に加えて、「複数の属性情報」に「印刷解像度、印刷パス数、２値化方式、環境温度及び環境湿度」を採用することは、当業者が上記周知技術２に基づいて容易に想到し得たことである。
　よって、引用発明において、上記相違点２に係る本願発明の構成となすことは、当業者が周知技術２に基づいて容易になし得た程度のことである。
　
　ウ　効果について 
 　本願発明の奏する効果は、引用発明の奏する効果、周知技術１の奏する効果及び周知技術２の奏する効果から当業者が予測できた程度のものである。 　
　エ　まとめ 
　以上のとおりであるから、上記４（２）及び上記４（９）のいずれの解釈をしても、本願発明は、当業者が引用発明、周知技術１及び周知技術２に基づいて容易に発明をすることができたものである。
　
６  むすび
　本願発明は、以上のとおり、当業者が引用例に記載された発明、周知技術１及び周知技術２に基づいて容易に発明することができたものであるから、特許法第２９条第２項の規定により特許を受けることができない。
　よって、結論のとおり審決する。